【誤訳訂正書】
【提出日】平成16年10月20日(2004.10.20)
【誤訳訂正１】
【訂正対象書類名】明細書
【訂正対象項目名】全文
【訂正方法】変更
【訂正の内容】
【書類名】      明細書
【発明の名称】  セルラ電話を介したサービス提供者発見システム
【特許請求の範囲】
【請求項１】
ＣＳＰへの加入者であるサービス提供者と使用者との間で定義された通信の動作をセルラ電話を介して制御し、サービス提供者および使用者双方の稼働信号が所定の時間に受信されたＣＴＮシステムの地域区分内のセルラ電話使用者の現在位置に関するデータを処理可能なマッチングエンジンに基づき処理される方法であって、
・所定の時間に特定のセルラセルにおいて、加入者の位置管理を行うためのオペレーティング、更新、発見、および加入者管理を行うプログラムであって、地域のＣＴＮシステムから入ってきたデータを受信、格納、更新、および処理するための命令を含んでいるプログラムをそれぞれ実行し、使用者を所望の加入者にマッチングするステップと、
・マッチングした符号化されている加入者の位置と利用可能性との更新データに従って、使用者から受信した符号化されている呼を処理し、呼をマッチングした加入者にルーティングするステップと、
から構成される方法。
【請求項２】
信号が受信されたセルラセルに従って、ＣＴＮから所定間隔で動作中の加入者の場所に関するデータを受信するオペレーティングプログラムをさらに含む、
請求項１記載の発明。
【請求項３】
使用者からの符号化されている呼の受信に応答するオペレーティングプログラムをさらに含み、
前記オペレーティングプログラムは、使用者により要求された符号化されているサービスカテゴリの加入者の識別リストと、前記呼が受信された時刻の加入者のセルラセル位置とを交差処理することで、使用者と加入者間の接続を実行する、
請求項１記載の発明。
【請求項４】
前記オペレーティングプログラムのそれぞれ独立した機能は、プロセスステップの以下のリスト：
・使用者使用のための音声インタフェースを備えた応答プログラム、
・ＣＴＮコンピュータと通信するための通信プロトコルと、更新プログラムとの通信プロトコルとを含む通信プログラム、
・加入者の管理プログラム、
・統計プログラム、
・使用者により操作される符号に基づく検索システムと、定義されたセルラセルにおいて要求された加入者を見つけるための交差発見プログラムとを含む発見プログラム、
・オンライン更新データを受信し格納するためのシステムを含む更新プログラム、
・前記交差発見プログラムの結果を処理し、加入者のデータベースに格納されたパラメータに基づいて、加入者の呼出優先順位リストを用意するシステム、
・許可のない使用を防止するプログラム、
から選択される、
請求項３記載の発明。
【請求項５】
プロセスステップの以下のリスト：
・アクセス符号およびメニューの識別、
・通信プログラム：リモートオペレーティングプログラムと通信するためのプロトコル、
・加入者プログラム、
・統計プログラム、
・更新プログラム、
・許可のない使用を防止するプログラム、
からそれぞれ独立した機能を選択する更新制御プログラムをさらに備える、
請求項１記載の発明。
【請求項６】
・ユーザに利用可能なサービスの複数の可能な符号から所望のサービスを選択させるための音声インタフェースを用いて検索プログラムを動作させるＣＳＰに対して、ＣＴＮが符号化された呼を差し向けるステップと、
・音声応答プログラムメニューから選択された命令を実行するステップと、
・ＣＴＮにより判断され、使用者により操作され符号化されている呼の指示を含む決定命令の発生に応答して、使用者が示した呼パラメータを判断するステップと、
・フローを加入者管理プログラムを通して、前記決定命令パラメータに応答する加入者の命令リストに向けるステップと、
・発見プログラムにより判断される前記命令リストを実行するステップと、
をさらに含む、
請求項４記載の発明。
【請求項７】
利用可能な加入者の第１のリストは、
以下のパラメータ：
・前記リスト上の加入者の最後の更新信号が発信されたセルラセルの識別と、
・加入者データベースからの加入者の呼出優先順位パラメータと、
からなるリストを形成する発見プログラムにより選択される、
請求項６記載の発明。
【請求項８】
利用可能な加入者の第２のリストは、
・パラメータ（ａ）およびパラメータ（ｂ）を用いて前記第１のリストを処理するステップと、
・使用者の呼が受信された特定のセルラセルにいる優先加入者のマッチングパラメータのみを用いて、前記第２のリストを形成するステップと、
を含む発見プログラムにより選択される、
請求項７記載の発明。
【請求項９】
利用可能な加入者の第３のリストは、
・加入者管理プログラムおよび請求項８の第２のリストに含まれるパラメータから、加入者の呼出優先順位リストを用意するステップと、
・ＣＴＮへの通信命令を実行し、使用者と第３のリスト上の最初の加入者との間に接続を実行するステップと、
を含む発見プログラムにより選択される、
請求項７記載の発明。
【請求項１０】
呼がルーティングされた加入者からの応答がない場合、または使用者のコマンドにより、第３の加入者リストに従い、代替の呼出のためのＣＴＮへの呼出命令をさらに含む、
請求項９記載の発明。
【発明の詳細な説明】
【０００１】
発明の分野
本明細書に開示する本発明は、サービス提供者とサービスを必要とする人との間での、所定時刻での定義されたセルラセルにおける両者の局所位置に基づく、セルラ電話を介した発見ブリッジシステムである。
【０００２】
発明の背景
車の修理サービスや単なるタクシーのような急を要するサービスを必要としている人は、電話帳を用いて利用可能なサービス提供者を、または行き当たりばったりでサービス提供者を見つけようとして多大な時間を費やさなければならない。たとえ双方が互いに地理的に近接している場合であっても、双方が目を合わさない限り、双方は互いの存在に気づかないままである。仮にサービス提供者が見つかっても、そのサービス提供者を常に利用できるわけではなく、検索を再びすべて最初から初め、数回これを繰り返すこともある。
【０００３】
これらすべてを回避するため、双方が同時にＣＳＰの領域にいる場合に、サービス提供者制御（ＣＳＰ）が、上に明記された必要性に応じて、迅速かつ効率的な応答を与える。
【０００４】
発明の概要
新規の本発明は、セルラ電話を介して提供するサービス分野における新規方法を提供する。新規サービスは、ＣＳＰシステムの働きにより、セルラ電話網（ＣＴＮ）から絶えず受信するデジタルデータを練り上げて組み合わせる、加入者のプログラムにより動作する。ＣＴＮがクイックダイアリングプログラム済みの符号呼を受信すると、呼を識別してＣＳＰに転送する。ＣＳＰが受信する識別済みデータには、呼が受信されたセルラセルに関するデータが含まれる。このデータは、ＣＳＰの交差発見プログラムを開始して、ＣＴＮから受信した最後のデータフローに従い、呼が受信されたのと同じセルラセルにいる適した加入者を見つける。交差発見プロセスが完了すると、呼が適した加入者にルーティングされる。
請求項１は、
ＣＳＰへの加入者であるサービス提供者と使用者との間で定義された通信の動作をセルラ電話を介して制御し、サービス提供者および使用者双方の稼働信号が所定の時間に受信されたＣＴＮシステムの地域区分内のセルラ電話使用者の現在位置に関するデータを処理可能なマッチングエンジンに基づき処理される方法であって、
・所定の時間に特定のセルラセルにおいて、特定のパラメータに従って、加入者の位置管理を行うためのオペレーティング、更新、発見、および加入者管理を行うプログラムであって、特定のパラメータおよび特定のパラメータに従う処理コマンドに従い、地域のＣＴＮシステムから入ってきたデータを受信、格納、更新、および処理するための命令を含んでいるプログラムをそれぞれ実行し、使用者を所望の加入者にマッチングするステップと、
・マッチングした符号化されている加入者の位置と利用可能性との更新データに従って、使用者から受信した符号化されている呼を処理し、呼をマッチングした加入者にルーティングするステップと、
から構成される方法である。
請求項２は、
ＣＴＮから所定間隔で、信号が受信されたセルラセルに従って、動作中の加入者の場所に関するデータを受信するオペレーティングプログラムをさらに含む、
請求項１記載の発明である。
請求項３は、
使用者からの符号化されている呼の受信に応答するオペレーティングプログラムをさらに含み、
前記オペレーティングプログラムは、使用者により要求された符号化されているサービスカテゴリの加入者の識別リストと、前記呼が受信された時刻の加入者のセルラセル位置とを交差処理することで、使用者と加入者間の接続を実行する、
請求項１記載の発明である。
請求項４は、前記オペレーティングプログラムのそれぞれ独立した機能は、プロセスステップの以下のリスト：
・使用者使用のための音声インタフェースを備えた応答プログラム、
・ＣＴＮコンピュータと通信するための通信プロトコルと、更新プログラムとの通信プロトコルとを含む通信プログラム、
・加入者の管理プログラム、
・統計プログラム、
・使用者により操作される符号に基づく検索システムと、定義されたセルラセルにおいて要求された加入者を見つけるための交差発見プログラムとを含む発見プログラム、
・オンライン更新データを受信し格納するためのシステムを含む更新プログラム、
・前記交差発見プログラムの結果を処理し、加入者のデータベースに格納されたパラメータに基づいて、加入者の呼出優先順位リストを用意するシステム、
・許可のない使用を防止するプログラム、
から選択される、
請求項３記載の発明である。
請求項５は、
プロセスステップの以下のリスト：
・アクセス符号およびメニューの識別、
・通信プログラム：リモートオペレーティングプログラムと通信するためのプロトコル、
・加入者プログラム、
・統計プログラム、
・更新プログラム、
・許可のない使用を防止するプログラム、
からそれぞれ独立した機能を選択する更新制御プログラムをさらに備える、
請求項１記載の発明である。
請求項６は、
・ユーザに利用可能なサービスの複数の可能な符号から所望のサービスを選択させるための音声インタフェースを用いて検索プログラムを動作させるＣＳＰに対して、ＣＴＮが符号化された呼を差し向けるステップと、
・音声応答プログラムメニューから選択された命令を実行するステップと、
・ＣＴＮにより判断され、使用者により操作され符号化されている呼の指示を含む決定命令の発生に応答して、使用者が示した呼パラメータを判断するステップと、
・フローを加入者管理プログラムを通して、前記決定命令パラメータに応答する加入者の命令リストに向けるステップと、
・発見プログラムにより判断される前記命令リストを実行するステップと、
をさらに含む、
請求項４記載の発明である。
請求項７は、
利用可能な加入者の第１のリストは、以下のパラメータ：
・前記リスト上の加入者の最後の更新信号が発信されたセルラセルの識別と、
・加入者データベースからの加入者の呼出優先順位パラメータと、
からなるリストを形成する発見プログラムにより選択される、
請求項６記載の発明である。
請求項８は、
利用可能な加入者の第２のリストは、
・パラメータ（ａ）およびパラメータ（ｂ）を用いて前記第１のリストを処理するステップと、
・使用者の呼が受信された特定のセルラセルにいる優先加入者のマッチングパラメータのみを用いて、前記第２のリストを形成するステップと、
を含む発見プログラムにより選択される、
請求項７記載の発明である。
請求項９は、
利用可能な加入者の第３のリストは、
・加入者管理プログラムおよび請求項８の第２のリストに含まれるパラメータから、加入者の呼出優先順位リストを用意するステップと、
・ＣＴＮへの通信命令を実行し、使用者と第３のリスト上の最初の加入者との間に接続を実行するステップと、
を含む発見プログラムにより選択される、
請求項７記載の発明である。
請求項１０は、
呼がルーティングされた加入者からの応答がない場合、または使用者のコマンドにより、第３の加入者リストに従い、代替の呼出のためのＣＴＮへの呼出命令をさらに含む、
請求項９記載の発明である。
【０００５】
発明の詳細な説明
セルラ電話の使用者（以下、「使用者」と呼ぶ）のセルラ電話に予めプログラムされた符号をクリックすることにより、ＣＴＮが呼をＣＳＰへのクイックダイアリングプログラム済みの呼として識別すると、呼と、呼が受信された特定のセルラセルの識別を含む使用者のすべてのデジタル識別情報とが地域のＣＴＮによりＣＳＰに転送される。ＣＳＰは、使用者により操作された自動返答音声リストを通して必要とされるサービスを識別する。次に、ＣＳＰは、ＣＳＰへの加入者である定義された操業中のサービス提供者（以下、「加入者」と呼ぶ）すべてのデータと、ＣＴＮから受信した、上記加入者からの最後の信号が受信されたセルラセルの更新されたデータとの交差検索を開始する。使用者と上記加入者がいるセルラセル間でマッチングがあると、ＣＳＰは加入者の番号をＣＴＮを介してダイアルする。ＣＴＮはダイアル要求を受信する。加入者が呼に応答すると、使用者と加入者間の接続が得られる。加入者からの返答を受信しない場合、または使用者からの要求により、呼は自動的にマッチングした加入者のリスト上の次の加入者に転送される。
【図面の簡単な説明】
【図１】
全国的なセルラ電話網（ＣＴＮ）の概観の図。
【図２】
本発明に記載の、ＣＴＮとサービス提供者制御（ＣＳＰ）システムの間の統合の図。